(57)【要約】【課題】足踏み式噴霧容器のノズル付き押下げヘッドを、容器本体に固定させる固定部分と、上下動および回動可能な摺動部分とに分け、実質的ヘッド部分を軽量化することで、その操作が容易とすると共にステム付勢用スプリングの機能を向上させた。【解決手段】ステム３付き容器本体１と、容器本体へ嵌合させた筒状台部材１１と、上記ステムへ嵌合させたノズル２２から外向きフランジ状板２３を介して押下げ用筒２４を起立する筒状上下動部材２１と、ノズル外面へ嵌合させたノズル摺動筒３５から逆ドーム状板３２と外向きフランジ状天板３３とを介して垂下した外周壁３４を押下げ用筒２４内へ嵌合させ、透孔２７を通って鍔状頂板１２から起立させた数箇の支持板１６上端で外向きフランジ状天板３３を支持させた上方筒部材３１とで形成し、上下動部材２１押下げにより噴霧が可能とした。【選択図】　図１
2004123135.tif 000002
【特許請求の範囲】
【請求項１】
上方付勢させて頂壁２中央部からステム３を起立する噴霧容器本体１と、
該容器体上面外周部へ嵌合されて適宜本数の支持板１６を起立する筒状台部材１１と、
上記ステム３の上部外面へ嵌合させたノズル２２の下部から、上記支持板１６を貫通させて外向きフランジ状板２３を突出し、かつ外周部から押下げ用筒２４を起立する筒状上下動部材２１と、
上記支持板１６により下面を支持させて上下動部材２１内へ嵌合され、逆ドーム形状に形成された頂板３２中央部へノズル２２上部を貫通させた上方筒部材３１とからなり、
該上方筒部材上面よりも押下げ用筒２４を高く設けて、該押下げ用筒２４を介してステム３を押下げすることで、容器体内液体がステム、ノズル、上方筒部材３１内を通って上方へ噴霧可能に形成したことを特徴とする足踏み式噴霧容器。
【請求項２】
上記筒状台部材１１ないし筒状上下動部材２１の一方に突部１７を、かつ他方に凹部２５を設け、
又外向きフランジ状板２３に穿設した、支持板挿通孔２７を周方向横長として、筒状台部材１１に対して筒状上下動部材２１を正逆両方向への回動が自在とすると共に、該回動により支持板１６が透孔２７の一端に位置する状態でだけ、突部１７が凹部２５内へ入ることで、上下動部材２１の押下げが可能に形成した
ことを特徴とする、請求項１記載の足踏み式噴霧容器。
【請求項３】
上記押下げ用筒２４と同心の短筒２６を外向きフランジ状板２３の中径部假想円上から起立し、該短筒２６の下端内縁ないし外縁部に上記透孔２７を穿設し、該短筒と支持板１６との一方に弾性板２８を、かつ他方に係合子を設け、
上記筒状台部材１１に対する筒状上下動部材２１の正逆両方向回動で、弾性板先端が係合子に係合して弾性変形したのち、弾性復元することで確認音を発するよう形成したことを特徴とする請求項２記載の足踏み式噴霧容器。
【請求項４】
上記係合子を、第１、第２係合子１８，１９　からなる一対の係合子で形成して、
上記支持板１６が透孔２７一端から離れ始めの際、および透孔２７他端に近づいたときに弾性板２８先端が第１、第２係合子１８，１９　に係合して弾性変形し、又透孔一端から離れた際および透孔他端に当接した際、弾性板先端が第１、第２係合子１８，１９　を乗越えし弾性復元して確認音を発生可能に形成したことを特徴とする、請求項３記載の足踏み式噴霧容器。
【請求項５】
上記筒状上下動部材の押下げ用筒２４上端面に、複数の突部２４ａ　を付設させた
ことを特徴とする、請求項１、２、３、又は４記載の足踏み式噴霧容器。
【発明の詳細な説明】
【０００１】
【発明の属する技術分野】
本発明は足踏み式の噴霧容器に関する。
【０００２】
【従来の技術】
実開昭５７−２１０６２号が示すように従来足踏み式の噴霧容器が知られている。
【０００３】
該容器は、従来のエアゾール式噴霧容器におけるノズル付きの押下げヘッドを浅皿状に設けて、ヘッド外周から起立する短周壁を足で踏下げることで複数の噴霧孔から足裏面へ霧が噴射されるよう設けている。
【０００４】
【発明が解決しようとする課題】
上記従来容器は、容器体上部へ嵌合させた受台からガイド筒を起立し、該ガイド筒内へ上記押下げヘッド下部を上下動自在に嵌合させるが、該ヘッドは構造が複雑化するため重くなり易く、するとステム上方付勢用のスプリングの弾性も強くすることが必要となるものであった。
【０００５】
本発明は上記押下げヘッドを、容器体に固定される部分と、該固定部分に対して上下動する摺動部分とで形成することで、上記固定部分とは無関係に、上下動部分だけがその下降により、上方付勢されて起立しているステムを下降させて容易に噴霧させることが出来るよう、又請求項２の場合はその上下動部分回動によって噴霧が不能となる安全装置を設けたものであり、又請求項３および４の場合は、上記安全装置の設定および解除をクリック作用および確認音を伴って行えるよう設けたものである。
【０００６】
【課題を解決するための手段】
第１の手段として、上方付勢させて頂壁２中央部からステム３を起立する噴霧容器本体１と、
該容器体上面外周部へ嵌合されて適宜本数の支持板１６を起立する筒状台部材１１と、
上記ステム３の上部外面へ嵌合させたノズル２２の下部から、上記支持板１６を貫通させて外向きフランジ状板２３を突出し、かつ外周部から押下げ用筒２４を起立する筒状上下動部材２１と、
上記支持板１６により下面を支持させて上下動部材２１内へ嵌合され、逆ドーム形状に形成された頂板３２中央部へノズル２２上部を貫通させた上方筒部材３１とからなり、
該上方筒部材上面よりも押下げ用筒２４を高く設けて、該押下げ用筒２４を介してステム３を押下げすることで、容器体内液体がステム、ノズル、上方筒部材３１内を通って上方へ噴霧可能に形成した。
【０００７】
第２の手段として、上記第１の手段を有すると共に、上記筒状台部材１１ないし筒状上下動部材２１の一方に突部１７を、かつ他方に凹部２５を設け、
又外向きフランジ状板２３に穿設した、支持板挿通孔２７を周方向横長として、筒状台部材１１に対して筒状上下動部材２１を正逆両方向への回動が自在とすると共に、該回動により支持板１６が透孔２７の一端に位置する状態でだけ、突部１７が凹部２５内へ入ることで、上下動部材２１の押下げが可能に形成した。
【０００８】
第３の手段として、上記第２の手段を有すると共に、上記押下げ用筒２４と同心の短筒２６を外向きフランジ状板２３の中径部假想円上から起立し、該短筒２６の下端内縁ないし外縁部に上記透孔２７を穿設し、該短筒と支持板１６との一方に弾性板２８を、かつ他方に係合子を設け、
上記筒状台部材１１に対する筒状上下動部材２１の正逆両方向回動で、弾性板先端が係合子に係合して弾性変形したのち、弾性復元することで確認音を発するよう形成した。
【０００９】
第４の手段として、上記第３の手段を有すると共に、上記係合子を、第１、第２係合子１８，１９　からなる一対の係合子で形成して、
上記支持板１６が透孔２７一端から離れ始めの際、および透孔２７他端に近づいたときに弾性板２８先端が第１、第２係合子１８，１９　に係合して弾性変形し、又透孔一端から離れた際および透孔他端に当接した際、弾性板先端が第１、第２係合子１８，１９　を乗越えし弾性復元して確認音を発生可能に形成した。
【００１０】
第５の手段として、上記第１、第２、第３、又は第４の手段を有すると共に上記筒状上下動部材の押下げ用筒２４上端面に、複数の突部２４ａ　を付設させた。
【００１１】
【発明の実施の形態】
以下図面について説明すると、１は噴霧容器本体で、頂壁２中央部に貫設され、かつ上方付勢されて起立するステム３を有し、又頂壁２外周部から短筒４を起立すると共に、該短筒の下端外周部から肩部５を介して胴部６を垂下する。図示例ではエアゾール式噴霧容器本体を示すがポンプ式であっても差支えない。
【００１２】
１１は筒状台部材で、鍔状頂板１２内周から垂下させた内外二重の嵌合筒１３を上記短筒４へ、かつ外周から垂下させた外周壁１４を胴部６の上部外面へ、それぞれ嵌合させている。又鍔状頂板１２外周部からガイド筒１５を、かつ鍔状頂板中径部の、ガイド筒と同心の假想円上からほぼ等間隔に数箇の支持板１６を、それぞれ起立する。又図示例ではガイド筒下端内面の数箇所に、等間隔に突部１７を付設し、支持板１６下部内面の両側に第１、第２係合子１８，１９　を縦設している。
【００１３】
２１は筒状上下動部材で、ステム３外面へ下方筒部を嵌合させたノズル２２の下部外周から外向きフランジ状板２３を突出し、かつ該外向きフランジ状板外周から押下げ用筒２４を起立し、該筒下部を上記ガイド筒１５の上部内へ嵌合させている。該押下げ用筒の上端面へは、複数の突部２４ａ　を付設している。それ等突部は、足裏面をマッサージすることが可能とするものである。押下げ用筒２４下部外面には既述突部１７上方に位置させて該突部嵌合用の凹部２５を穿設している。又その外向きフランジ状板２３の中径部假想円上からは、上記押下げ用筒２４と同心の短筒２６を起立し、該短筒の下端外縁に接して既述支持板１６を貫通させた透孔２７を穿設している。該透孔は図３が示すように支持板１６よりも横巾を大としており、支持板１６の両側面が透孔２７の両側面へ接する範囲で、筒状台部材１１に対して筒状上下動部材２１を回動させることが可能としている。
【００１４】
更に短筒２６の外面からは、弾性板２８を外方へ突出させ、その先端を、既述第１、第２係合子１８，１９　へ係合可能に設けている。該弾性板と第１、第２係合子との関係については後述する。
【００１５】
３１は上方筒部材で、逆ドーム状頂板３２上端から外向きフランジ状天板３３を介して外周壁３４を垂下すると共に、逆ドーム状板中心に穿設した透孔周縁からノズル摺動筒３５を垂設して、ノズル２２外面へ上下動可能に嵌合させている。又上記外周壁３４は既述押下げ用筒２４内へ嵌合させている。押下げ用筒２４は図１が示すように外周壁３４上端よりも上方まで起立させている。又支持板１６上端で外向きフランジ状天板３３を支持させる。図示例では上記天板下面から小筒３６を垂下し、該小筒内へ支持板上端を嵌合させている。
【００１６】
尚４１はカバーキャップである。
【００１７】
既述突部１７と凹部２５と透孔２７と支持板１６と第１、第２係合子１８，１９　と弾性板２８とは次のような関係を有する。
【００１８】
図１が示すように突部１７上方に凹部２５が位置するとき、図３が示すように支持板１６は、図示例において透孔２７の時計回り方向端面に接し、かつ弾性板２８は支持板反時計回り方向端部の第１係合子１８の外面側に接している。該状態では図２が示すように押下げ用筒２４踏み下げによって、突部１７が凹部２５内へ入り、筒状上下動部材２１が下降し、するとノズル２２も下降することでステム３が押下げられ、するとステム下端の吐出弁が開いてノズル２２から容器体内液体が霧となって噴出し、上記押下げ解放により上方付勢されているステム３が上昇して筒状上下動部材２１を押上げ、図１の状態に復帰させる。
【００１９】
図１および図３が示す状態から押下げ用筒２４を図４が示すように時計回り方向へ回すと、弾性板２８は弾性変形することで反時計回り方向側の第１係合子１８を乗越えて弾性復元し、確認音を発した後、時計回り側の第２係合子１９に係合し、再び弾性変形して乗越え確認音を発した後、弾性復元する。このとき支持板１６は透孔２７の反時計回り方向側端部に接して停止する。このとき凹部２５は突部１７上方から時計回り方向側へ移動しているため、該位置では押下げ用筒２４を下方へ押しても、外向きフランジ状板２３が突部１７に当たるため押下げ不能となる。
【００２０】
上記実施形態においては、支持板１６の内方に短筒２６を設けたが、支持板１６外方に設けてもよく、又弾性板２８と第１、第２係合子１８，１９　は弾性板を支持板１６に、又第１、第２係合子を短筒２６に設けてもよい。更に突部１７と凹部２５との関係も逆に設けてもよい。
【００２１】
【発明の効果】
本発明は既述構成とするものであり、請求項１記載のようにすることで、筒状台部材１１および上方筒部材３１を容器本体１へ固定させたまま、筒状上下動部材２１の押下げ用筒２４を押下げるだけで噴霧させることが出来、従って、ヘッドが軽量化されることで該ヘッドを上端に嵌合させたまま上方付勢されて起立するステムに対する上方付勢用スプリングの効率を高めることが出来る。又各部材の構造も簡易とすることが出来る。
【００２２】
請求項２のようにすることで、筒状上下動部材を正逆いずれかの方向へ回すことで、筒状上下動部材２１の押下げを不能とすることが出来る。
【００２３】
請求項３および４のようにすることで、噴霧に対する安全装置の設定および解除のための押下げ用筒２４の正逆両方向回動を、クリック感および確認音を伴って行うことが出来、特に請求項３の場合は押下げ用筒回動の始めと終りとをそれぞれクリック感および確認音を伴って行えるから容器の使用感を高めることが出来る。
【００２４】
請求項５のようにすれば、押下げ用筒の下降が不能とした状態で、その押下げ用筒上端面へ足裏面を載置させて、足裏面を押下げたり、又浮かせたり、移動させたりすることで、各突部によって足裏面をマッサージすることが出来る。
【図面の簡単な説明】
【図１】本発明要部の半断面図である。
【図２】図１要部の噴霧状態を示す半断面図である。
【図３】図１要部の横断面図である。
【図４】図３状態から筒状上下動部材を回して安全装置を行った状態で示す横断面図である。
【図５】本発明容器の分解斜視図である。
【符号の説明】
１…容器本体　　　　　　　　　　　１１…筒状台部材
２１…筒状上下動部材　　　　　　　　　３１…上方筒部材
【図１】
2004123135.tif 000003
【図２】
2004123135.tif 000004
【図３】
2004123135.tif 000005
【図４】
2004123135.tif 000006
【図５】
2004123135.tif 000007